(57)【要約】【課題】廃棄されるシートの記憶部からの情報漏えいを防止することができる後処理装置を提供することである。【解決手段】実施形態の後処理装置は、取得部と、破壊部と、制御部と、を持つ。取得部は、シートに設置された記憶部の位置情報を取得する。破壊部は、前記記憶部を破壊する。制御部は、所定条件を満たした場合に、前記取得部が取得した前記記憶部の位置情報に基づいて、前記破壊部を動作させる。破壊部は、待機部と、折り部と、シート位置調整機構と、を持つ。待機部は、前記シートを待機させる。折り部は、前記シートをサドル折りして前記記憶部を破壊する。シート位置調整機構は、前記記憶部の位置が前記折り部の位置となるように、前記待機部に配置された前記シートを移動させる。【選択図】図４
2018144298.tif 000002
【特許請求の範囲】
【請求項１】
シートに設けられた記憶部の位置情報を取得する取得部と、
前記記憶部を破壊する破壊部と、
所定条件を満たした場合に、前記取得部が取得した前記記憶部の位置情報に基づいて、前記破壊部を動作させる制御部と、を有する、
後処理装置。
【請求項２】
前記破壊部は、
前記シートを待機させる待機部と、
前記シートをサドル折りして前記記憶部を破壊する折り部と、
前記記憶部の位置が前記折り部の位置となるように、前記待機部に配置された前記シートを移動させるシート位置調整機構と、
を有する、
請求項１に記載の後処理装置。
【請求項３】
前記制御部は、第１シートが前記所定条件を満たした場合に、前記第１シートを前記待機部で待機させ、
前記制御部は、前記第１シートの後に第２シートが前記所定条件を満たした場合であって、前記取得部が取得した前記第２シートの記憶部の位置情報が前記第１シートの記憶部の位置情報と同じ場合に、前記第２シートを前記第１シートと共に前記待機部で待機させ、
前記制御部は、前記第２シートの記憶部を前記第１シートの記憶部と共に破壊させる、
請求項２に記載の後処理装置。
【請求項４】
前記制御部は、第１シートが前記所定条件を満たした場合に、前記第１シートを前記待機部で待機させ、
前記制御部は、前記第１シートの後に第３シートが前記所定条件を満たした場合であって、前記取得部が取得した前記第３シートの記憶部の位置情報が前記第１シートの記憶部の位置情報と異なる場合に、前記第１シートの記憶部を破壊させる、
請求項２または３に記載の後処理装置。
【請求項５】
前記待機部は、後処理装置の筐体の内部に配置される、
請求項２から４のいずれか１項に記載の後処理装置。
【発明の詳細な説明】
【技術分野】
【０００１】
本発明の実施形態は、後処理装置に関する。
【背景技術】
【０００２】
ＲＦＩＤ（radio frequency identifier）等の記憶部が設けられたシートが利用されている。シートは、表面に画像が形成され、記憶部に情報が記録される。記憶部への情報の記録が正常に行われなかったシートは廃棄される。廃棄されるシートの記憶部からの情報漏えいを防止することが求められる。
【先行技術文献】
【特許文献】
【０００３】
【特許文献１】特開２００６−８８４７８号公報
【発明の概要】
【発明が解決しようとする課題】
【０００４】
本発明が解決しようとする課題は、廃棄されるシートの記憶部からの情報漏えいを防止することができる後処理装置を提供することである。
【課題を解決するための手段】
【０００５】
実施形態の後処理装置は、取得部と、破壊部と、制御部と、を持つ。取得部は、シートに設けられた記憶部の位置情報を取得する。破壊部は、前記記憶部を破壊する。制御部は、所定条件を満たした場合に、前記取得部が取得した前記記憶部の位置情報に基づいて、前記破壊部を動作させる。
【図面の簡単な説明】
【０００６】
【図１】画像形成装置の概略構成図。
【図２】実施形態の後処理装置の概略構成を示す正面断面図。
【図３】サドル折りユニットの動作を示す斜視図。
【図４】サドル折りユニットの動作を示す斜視図。
【図５】サドル折りユニットの動作を示す斜視図。
【図６】サドル折りされたシートの斜視図。
【発明を実施するための形態】
【０００７】
以下、実施形態の後処理装置を、図面を参照して説明する。本願においてＸＹＺ方向は以下のように定義される。Ｚ方向は鉛直方向であり、Ｘ方向およびＹ方向は水平方向である。Ｚ方向は画像形成装置の上下方向（高さ方向）であり、＋Ｚ方向は上方向である。Ｘ方向は画像形成装置の前後方向（奥行方向）であり、＋Ｘ方向は前方向である。Ｙ方向は画像形成装置の左右方向（幅方向）である。
【０００８】
図１は、画像形成装置の概略構成図である。画像形成装置１は、画像形成装置本体１００と、後処理装置２００と、を有する。画像形成装置本体１００および後処理装置２００は、隣接して配置される。
【０００９】
画像形成装置本体１００について説明する。
画像形成装置本体１００は、記録剤を用いてシート（記録媒体）上に画像を形成する。シートは、例えば普通紙やラベル用紙である。シートとして、ＲＦＩＤ等の記憶部が埋設されたシートが利用可能である。ＲＦＩＤは、電波を用いて非接触でＲＦタグのデータ情報を読み書きするシステムである。例えば、図３に示すように、記憶部５はシートＰの中央部などに埋め込まれている。
【００１０】
記録剤の具体例はトナーである。トナーは、消色性記録剤として使用されるトナーと、非消色性記録剤として使用されるトナーとのいずれかである。消色トナーは、外部からエネルギーを加えられることで消色する機能を持つ。外部からエネルギーを加えられることとは、温度、特定波長の光、圧力などの外的刺激が加えられることである。本実施形態における「消色」とは、用紙の下地の色とは異なる色（有彩色のみならず白色及び黒色などの無彩色を含む）で形成された画像を、視覚的に見えなくすることを意味する。
【００１１】
例えば、画像形成装置本体１００は複合機である。図１に示すように、画像形成装置本体１００は、表示部１５と、操作部１４と、画像読取部１６と、プリンタ部１７と、シート収容部１８と、排紙ローラ１９と、を有する。
【００１２】
表示部１５は、液晶ディスプレイ、有機ＥＬ（Electro Luminescence）ディスプレイ等の画像表示装置である。表示部１５は、画像形成装置本体１００および後処理装置２００に関する種々の情報を表示する。
操作部１４は、複数のボタンを有する。操作部１４は、ユーザーの操作を受け付ける。操作部１４は、ユーザーによって行われた操作に応じた信号を、画像形成装置本体１００の第１制御部１１に出力する。表示部１５および操作部１４は、一体のタッチパネルとして構成されてもよい。
【００１３】
画像読取部１６は、読み取り対象の画像情報を光の明暗として読み取る。画像読取部１６は、読み取られた画像情報をプリンタ部１７に出力する。
シート収容部１８は、画像形成に用いられるシートを収容する。シート収容部１８は、収容されたシートをプリンタ部１７に供給する。
【００１４】
プリンタ部１７は、画像読取部１６によって生成された画像情報又は通信路を介して受信された画像情報に基づいて、シート上に画像を形成する。プリンタ部１７は、画像形成部と、転写部と、定着装置と、を有する（いずれも不図示）。画像形成部は、画像情報に基づいて感光体ドラム上に静電潜像を形成する。画像形成部は、静電潜像にトナーを付着させて可視像を形成する。転写部は、可視像をシート上に転写する。定着装置は、トナーを加熱及び加圧して、可視像をシート上に定着させる。
排紙ローラ１９は、画像形成装置本体１００の排紙口付近に配置されている。排紙ローラ１９は、画像が形成されたシートを後処理装置２００に送り出す。
【００１５】
画像形成装置本体１００は、通信部６を有する。通信部６は、シートに埋め込まれた記憶部と通信する。例えば通信部６は、排紙ローラ１９に対して、シートの搬送方向（単に搬送方向と言う。）の上流側に配置される。この場合の通信部６は、プリンタ部１７の定着装置（不図示）に対して、搬送方向の下流側に配置される。通信部６は、書き込み部７と、読み取り部８と、を有する。書き込み部７は、記憶部にデータを書き込む。読み取り部８は、記憶部からデータを読み取る。読み取り部８は、書き込み部７に対して、搬送方向の下流側に配置される。
【００１６】
画像形成装置本体１００は、第１制御部１１を有する。第１制御部１１は、画像形成装置本体１００の各部の動作を制御する。第１制御部１１は、シートの記憶部に書き込むデータを書き込み部７に送信する。第１制御部１１は、記憶部から読み取られたデータを読み取り部８から受信する。
【００１７】
例えば第１制御部１１は、以下の各方法のいずれかにより、シートにおける記憶部の位置を取得する。
第１の方法は、書き込み部７により記憶部の位置を検知する方法である。第１制御部１１は、書き込み部７の位置を搬送されるシートＰに対して、書き込み部７による書き込み動作を繰り返す。第１制御部１１は、書き込みの少なくとも一部が成功した場合のシートＰ上の位置を、記憶部の位置として取得する。
第２の方法は、定型シートをユーザーが選択する方法である。第１制御部１１は、複数の定型シートの情報を予め記憶している。定型シートの情報は、シート上の記憶部の位置情報を含む。第１制御部１１は、定型シートの種類を表示部１５に表示して、ユーザーによる選択を促す。第１制御部１１は、ユーザーにより選択された定型シートについて、予め記憶している情報から、記憶部の位置を取得する。
第３の方法は、シート上の記憶部の位置をユーザーが指定する方法である。ユーザーは、操作部１４により記憶部位置指定モードを選択する。ユーザーは、記憶部の位置を表示したシートの画像を、画像読取部１６に読み取らせる。第１制御部１１は、画像読取部１６が読み取った画像情報から、記憶部の位置を取得する。
【００１８】
第１制御部１１は、所定条件を満たしたときに、記憶部の破壊指令を出力する。例えば所定条件は、記憶部への書き込みの少なくとも一部に失敗したことである。第１制御部１１は、読み取り部８から受信した受信データが書き込み部７に送信した送信データと一致するか確認（ベリファイ）する。第１制御部１１は、受信データが送信データと一致しない場合に、記憶部への書き込みに失敗したと判断する。本願では、記憶部の破壊指令の対象であるシートを異常シートと言う場合がある。また、記憶部の破壊指令の対象でないシートを正常シートと言う場合がある。
【００１９】
後処理装置２００について説明する。
図２は、実施形態の後処理装置の概略構成を示す正面断面図である。後処理装置２００は、画像形成されたシートに後処理を施す。例えば後処理は、ステイプル処理またはサドル折り処理などである。後処理装置２００は、ステイプルユニット２０と、サドル折りユニット７０と、を有する。
【００２０】
ステイプルユニット２０は、待機トレイ２１と、処理トレイ２２と、ステイプラ２３と、を有する。待機トレイ２１は、画像形成装置本体１００から搬送されたシートＰがステイプル処理する所定枚数になるまで、シートＰを待機させる。待機トレイ２１は、所定枚数のシートＰが蓄積された時点で、シートＰを処理トレイ２２に受け渡す。処理トレイ２２は、複数のシートＰを整列して、ステイプラ２３に受け渡す。ステイプラ２３は、複数のシートＰにステイプル処理を施す。ステイプル処理されたシートＰは、搬送ベルト３１により搬送され、次述する可動トレイ６１に排出される。
【００２１】
後処理装置２００は、可動トレイ６１と、上部トレイ６２とを有する。可動トレイ６１には、ステイプル処理されたシートＰが排出される。可動トレイ６１は、シートＰの積載量に応じて上下方向に移動可能である。上部トレイ６２は、後処理装置２００の上部に配置される。上部トレイ６２には、ステイプル処理されないシートＰが排出される。
【００２２】
サドル折りユニット７０について説明する。
サドル折りユニット７０は、待機部７１と、シート位置調整機構７３と、折り部７６と、下部トレイ７９と、を有する。待機部７１、シート位置調整機構７３および折り部７６は、後処理装置２００の筐体２０１の内部に配置される。下部トレイ７９は、後処理装置２００の筐体２０１から外部に露出する。
【００２３】
待機部７１は、画像形成装置本体１００から搬送されたシートＰを待機させる。待機部７１は、ベルト７５と、下端部支持部材７４と、ガイド７２（図３参照）と、を含んで構成される。
【００２４】
ベルト７５は、無端ベルトである。ベルト７５は、上下方向に離れた一対のベルトローラ７５ａ，７５ｂに架け回される。一対のベルトローラ７５ａ，７５ｂの間におけるベルト７５の表面Ｓ（単に表面Ｓと言う。）は、法線方向が水平より上方を向いた傾斜面である。ベルト７５の表面ＳにシートＰが載置される。ベルト７５は、待機部７１で待機中のシートＰの背面を支持する。
【００２５】
本願においてＹ´方向およびＺ´方向は以下のように定義される。Ｙ´方向は、ベルト７５の表面Ｓの法線方向である。Ｚ´方向は、Ｘ方向およびＹ´方向に垂直な方向である。Ｚ´方向は、ベルト７５の表面Ｓに平行である。
【００２６】
下端部支持部材７４は、垂直部７４ａおよび平行部７４ｂを備えてＬ字状に形成される。垂直部７４ａは、ベルト７５の表面Ｓに対して略垂直に配置される。平行部７４ｂは、表面Ｓに対して略平行に配置される。垂直部７４ａの−Ｙ´方向の端部は、表面Ｓに固定される。垂直部７４ａの＋Ｙ´方向の端部には、平行部７４ｂの−Ｚ´方向の端部が固定される。図３に示すように、一対の下端部支持部材７４が、Ｘ方向に離れて配置される。
【００２７】
図３に示すように、下端部支持部材７４は、待機部７１で待機中のシートＰの下端部を支持する。垂直部７４ａは、シートＰを下側から支持する。平行部７４ｂは、シートＰを表側から支持する。図２に示すように、ベルト７５の表面Ｓと平行部７４ｂとの間は、垂直部７４ａの長さ分だけ離れている。下端部支持部材７４は、ベルト７５の表面Ｓと平行部７４ｂとの間に、複数のシートＰを待機させることができる。
【００２８】
ガイド７２は、Ｙ´Ｚ´面と平行な平板状に形成される。一対のガイド７２が、Ｘ方向に離れて配置される。ガイド７２は、待機部７１で待機中のシートＰの側部を支持する。一対のガイド７２は、Ｘ方向に移動可能に形成されてもよい。待機部７１に複数のシートＰが載置された状態で、一対のガイド７２がシートＰに向かってＸ方向に移動する。これにより、待機部７１で待機中の複数のシートＰが整列される。
【００２９】
図３に示すように、シート位置調整機構７３は、待機部７１に配置されたシートＰを移動させる。シート位置調整機構７３は、ベルト７５と、一対のベルトローラ７５ａ，７５ｂと、下端部支持部材７４と、を含んで構成される。すなわち、ベルト７５および下端部支持部材７４は、待機部７１およびシート位置調整機構７３の両方の構成要素である。
【００３０】
一対のベルトローラ７５ａ，７５ｂの周りには、ベルト７５が架け回される。一対のベルトローラ７５ａ，７５ｂのうち一方は、モータ（不図示）により回転駆動される。これに伴って、ベルト７５は、一対のベルトローラ７５ａ，７５ｂの周りを移動する。これによりシートの背面を支持するベルト７５の表面Ｓは、＋Ｚ´方向に移動する。
【００３１】
下端部支持部材７４は、ベルト７５の表面Ｓに固定される。下端部支持部材７４は、ベルト７５の表面Ｓと共に＋Ｚ´方向に移動する。下端部支持部材７４は、シートＰの下端部を支持する。ベルト７５および下端部支持部材７４は、支持するシートＰを＋Ｚ´方向に移動させる。このときシートＰは、ガイド７２の表面を滑る。これによりシート位置調整機構７３は、待機部７１に配置されたシートＰを移動させる。
【００３２】
図２に示すように、折り部７６は、ベルト７５の＋Ｚ´方向に配置される。折り部７６は、ブレード７７と、一対の折りローラ７６ａ，７６ｂと、を有する。
【００３３】
ブレード７７は、ベルト７５の表面Ｓの＋Ｙ´方向に配置される。ブレード７７は、平板状に形成される。ブレード７７は、ベルト７５の表面Ｓに対して垂直に配置される。ブレード７７のベルト７５側の縁辺は、一対のベルトローラ７５ａ，７５ｂの回転軸と平行に配置される。ブレード７７は、ベルト７５側が先細りとなる形状に形成される。ブレード７７は、ブレード７７が含まれるＸＹ´面内を移動可能である。
【００３４】
一対の折りローラ７６ａ，７６ｂは、ベルト７５の表面Ｓの−Ｙ´方向に配置される。一対の折りローラ７６ａ，７６ｂの回転軸は、一対のベルトローラ７５ａ，７５ｂの回転軸と平行に配置される。一対の折りローラ７６ａ，７６ｂの回転軸を含む平面は、ベルト７５の表面Ｓと平行に配置される。一対の折りローラ７６ａ，７６ｂの回転軸は、相互に接近する方向に付勢される。ブレード７７は、一対の折りローラ７６ａ，７６ｂの間に挟まれる位置まで−Ｙ´方向に移動する。
【００３５】
下部トレイ７９は、後処理装置２００の下部に配置される。下部トレイ７９は、折り部７６の−Ｙ´方向に配置される。下部トレイ７９には、サドル折りユニット７０でサドル折りされたシートＰが排出される。
【００３６】
図２に示すように、サドル折りユニット７０は、ステイプル部９３と、折り増し部７８とを有してもよい。ステイプル部９３は、シートＰにステイプル処理を施す。折り増し部７８は、折り部７６でサドル折りされたシートＰを折り増しする。
【００３７】
サドル折りユニット７０は、シートＰの製本処理に利用可能である。待機部７１は、複数のシートＰを待機させる。シート位置調整機構７３は、複数のシートＰのＺ方向の中央部が、ステイプル部９３の位置となるように、複数のシートＰを＋Ｚ´方向に移動させる。ステイプル部９３は、複数のシートＰにステイプル処理を施す。シート位置調整機構７３は、複数のシートＰのＺ方向の中央部が、ブレード７７の位置となるように、複数のシートＰを−Ｚ´方向に移動させる。ブレード７７は、−Ｙ´方向に移動して、複数のシートＰを一対の折りローラ７６ａ，７６ｂの間に押し込む。これにより、複数のシートＰはＺ方向の中央部でサドル折りされる。折り増し部７８は、サドル折りされた複数のシートＰを折り増しする。ステイプル処理およびサドル折りによって製本された複数のシートＰは、下部トレイ７９に排出される。
【００３８】
図２に示すように、後処理装置２００は、取得部８１と、第２制御部（制御部）８２と、を有する。
取得部８１は、シートＰの記憶部の位置情報を取得する。取得部８１は、画像形成装置本体１００の第１制御部１１が取得した記憶部の位置情報を、通信によって取得する。取得部８１は、取得した記憶部の位置情報を第２制御部８２に送信する。
【００３９】
第２制御部８２は、後処理装置２００の各部の動作を制御する。第２制御部８２は、取得部８１が取得した記憶部の位置情報を受信する。前述したように、画像形成装置本体１００の第１制御部１１は、所定条件を満たしたときに、記憶部の破壊指令を出力する。第２制御部８２は、第１制御部１１が出力した記憶部の破壊指令を受信する。このとき第２制御部８２は、記憶部の位置情報に基づいて、サドル折りユニット７０を動作させる。すなわち第２制御部８２は、所定条件を満たしたときに、取得部が取得した記憶部の位置情報に基づいて、サドル折りユニット７０を動作させる。サドル折りユニット７０は、記憶部の位置において異常シートをサドル折りし、記憶部を破壊する。
【００４０】
後処理装置２００による記憶部の破壊動作について説明する。
第２制御部８２は、記憶部の破壊指令を受信しないとき、記憶部の破壊指令の対象でない正常シートを上部トレイ６２または可動トレイ６１に排出する。第２制御部８２は、記憶部の破壊指令を受信したとき、サドル折りユニット７０を動作させる。第２制御部８２は、記憶部の破壊指令の対象である異常シートを待機部７１に搬送する。
【００４１】
図３〜５は、サドル折りユニットの動作を示す斜視図である。
図３に示すように、待機部７１は、異常シートＰを待機させる。
図４に示すように、シート位置調整機構７３は、待機部７１に配置された異常シートＰを移動させる。このときシート位置調整機構７３は、記憶部５の位置情報に基づいて、記憶部５のＺ´方向の位置が折り部７６のＺ´方向の位置Ｂとなるように、異常シートＰを＋Ｚ´方向に移動させる。折り部７６のＺ´方向の位置Ｂは、ブレード７７のＺ´方向の位置であって、一対の折りローラ７６ａ，７６ｂの間の位置である。
【００４２】
図５に示すように、ブレード７７は、−Ｙ´方向に移動する。ブレード７７は、異常シートＰを記憶部５の位置で屈曲させる。ブレード７７は、屈曲した異常シートＰを、一対の折りローラ７６ａ，７６ｂの間に押し込む。一対の折りローラ７６ａ，７６ｂは、屈曲した異常シートＰを間に挟んでサドル折りする。異常シートＰが記憶部５の位置でサドル折りされることにより、記憶部５が物理的に破壊される。サドル折りユニット７０が折り増し部７８（図２参照）を有する場合、折り増し部７８は、折り部７６がサドル折りした異常シートＰを折り増しする。この場合には、記憶部５がさらに物理的に破壊される。異常シートＰの記憶部５が破壊されることにより、廃棄される異常シートＰの記憶部５からの情報漏えいが防止される。また、製本処理に利用可能なサドル折りユニット７０が、記憶部５の破壊処理に利用される。そのため、記憶部の破壊処理専用の設備が不要であり、後処理装置のコストアップが抑制される。
【００４３】
図６に示すようにサドル折りされた異常シートＰは、図２に示す下部トレイ７９に排出される。これに対して、正常シートは、上部トレイ６２または可動トレイ６１に排出される。これにより、異常シートが正常シートに混入しない。したがって、異常シートのみを廃棄することが可能である。
【００４４】
異常シートは１枚ずつサドル折りされてもよいが、記憶部の位置が同じ複数の異常シートは同時にサドル折りされてもよい。この場合の後処理装置２００の動作について説明する。なお本願において「同時」とは、同じ機会のことを意味し、わずかに時間が異なる場合も含む。
【００４５】
図２に示す第２制御部８２は、第１異常シート（単に第１シートと言う。）の記憶部の位置情報を取得するとともに、第１シートの記憶部の破壊指令を受信する。第２制御部８２は、第１シートを待機部７１に搬送する。図３に示すように、待機部７１は、第１シートを待機させる。第２制御部８２は、シート位置調整機構７３により第１シートを移動させない。
【００４６】
次に第２制御部８２は、第２異常シート（単に第２シートと言う。）の記憶部５の位置情報を取得するとともに、第２シートの記憶部５の破壊指令を受信する。第２制御部８２は、第２シートの記憶部５の位置を、第１シートの記憶部５の位置と比較する。第２シートの記憶部５の位置が第１シートと同じ場合、第２制御部８２は、待機部７１における第１シートの待機を継続させる。第２制御部８２は、第２シートを待機部７１に搬送する。第２制御部８２は、待機部７１において第１シートおよび第２シートを待機させる。
【００４７】
次に第２制御部８２は、第３異常シート（単に第３シートと言う。）の記憶部５の位置情報を取得するとともに、第３シートの記憶部５の破壊指令を受信する。第２制御部８２は、第３シートの記憶部５の位置を、第１シート（または第２シート）の記憶部５の位置と比較する。第３シートの記憶部５の位置が第１シート（または第２シート）と異なる場合、第２制御部８２は、第１シートおよび第２シートの記憶部５を同時に破壊させる。図４に示すように、シート位置調整機構７３は、待機部７１に配置された第１シートおよび第２シートを共に＋Ｚ´方向に移動させる。図５に示すように、ブレード７７は、第１シートおよび第２シートを共に記憶部５の位置で屈曲させる。一対の折りローラ７６ａ，７６ｂは、屈曲した第１シートおよび第２シートを共に間に挟んでサドル折りする。これにより、記憶部５の位置が同じ第１シートおよび第２シートが同時にサドル折りされる。
【００４８】
第３シートの前に多数の正常シートが処理される場合、第１シートおよび第２シートは図２に示す待機部７１で長時間にわたり待機する。第１シートおよび第２シートは、記憶部が破壊される前の状態で待機することになる。待機部７１は、後処理装置２００の筐体２０１の内部に配置される。そのため、異常シートが待機部７１で長時間にわたり待機する場合でも、記憶部を破壊する前の異常シートが持ち去られることはない。したがって、異常シートの記憶部からの情報漏えいが防止される。
【００４９】
図２に示すように、実施形態の後処理装置２００は、取得部８１と、サドル折りユニット７０と、第２制御部８２と、を持つ。取得部８１は、異常シートに設けられた記憶部の位置情報を取得する。サドル折りユニット７０は、記憶部を破壊する。第２制御部８２は、所定条件を満たした場合に、取得部８１が取得した記憶部の位置情報に基づいて、サドル折りユニット７０を動作させる。
この後処理装置２００は、所定条件を満たした場合に記憶部を破壊するので、廃棄される異常シートの記憶部からの情報漏えいを防止できる。後処理装置２００は、記憶部の位置情報に基づいて、記憶部を正確に破壊できる。
【００５０】
サドル折りユニット７０は、待機部７１と、折り部７６と、シート位置調整機構７３と、を有する。待機部７１は、異常シートを待機させる。折り部７６は、異常シートをサドル折りして記憶部を破壊する。シート位置調整機構７３は、記憶部の位置が折り部７６の位置となるように、待機部７１に配置された異常シートを移動させる。
後処理装置２００は、記憶部の位置が折り部７６の位置となるように異常シートを移動させるので、記憶部を正確に破壊できる。後処理装置２００は、サドル折りユニット７０を利用して記憶部を破壊するので、コストアップを抑制できる。
【００５１】
第２制御部８２は、第１シートが所定条件を満たした場合に、第１シートを待機部７１で待機させる。第２制御部８２は、第１シートの後に第２シートが所定条件を満たした場合であって、取得部８１が取得した第２シートの記憶部の位置情報が第１シートの記憶部の位置情報と異なる場合に、第２シートを第１シートと共に待機部７１で待機させる。第２制御部８２は、第２シートの記憶部を第１シートの記憶部と共に破壊させる。
後処理装置２００は、複数の異常シートの記憶部の位置が同じであれば、複数の異常シートの記憶部を同時に破壊できる。後処理装置２００は、複数の異常シートの記憶部を同時に破壊するので、破壊時間を短縮できる。後処理装置２００は、複数の異常シートを待機させた後で、まとめて記憶部を破壊する。そのため後処理装置２００は、異常シートの記憶部の破壊が終了するまで後続するシートの画像形成処理を停止させる必要がない。したがって後処理装置２００は、画像形成時間を短縮できる。
【００５２】
第２制御部８２は、第１シートが所定条件を満たした場合に、第１シートを待機部７１で待機させる。第２制御部８２は、第１シートの後に第３シートが所定条件を満たした場合であって、取得部８１が取得した第３シートの記憶部の位置情報が第１シートの記憶部の位置情報と異なる場合に、第１シートの記憶部を破壊させる。
後処理装置２００は、第３シートとは別に第１シートの記憶部のみを破壊するので、第１シートの記憶部を確実に破壊できる。後処理装置２００は、第３シートが出現するまで第１シートの記憶部を破壊しない。そのため後処理装置２００は、第１シートと記憶部の位置が同じ異常シートを待機部に待機させて、第１シートと同時に破壊できる。したがって後処理装置２００は、破壊時間を短縮できる。
【００５３】
待機部７１は、後処理装置２００の筐体２０１の内部に配置される。
これにより、異常シートが待機部７１で長時間にわたり待機する場合でも、記憶部を破壊する前の異常シートが持ち去られることはない。したがって後処理装置２００は、異常シートの記憶部からの情報漏えいを防止できる。
【００５４】
実施形態の後処理装置２００は、画像形成処理の過程で所定条件を満たした場合に、記憶部を破壊する。これに対して、ユーザーが記憶部の破壊を指示してもよい。この場合にユーザーは、記憶部を破壊すべき異常シートを、画像形成装置本体１００のシート収容部１８または手差しトレイにセットする。またユーザーは、画像形成装置本体１００の操作部１４において記憶部破壊モードを指示する。記憶部破壊モードにおいて画像形成装置本体１００は、異常シートに画像を形成することなく、異常シートを書き込み部７および読み取り部８に搬送する。この場合の「所定条件」は、記憶部破壊モードが指示されたことである。そして画像形成装置１は、実施形態と同様に記憶部を破壊する。記憶部破壊モードでは、画像形成装置本体１００と後処理装置２００とが共同で破壊装置を構成する。
【００５５】
実施形態の後処理装置２００は、サドル折りユニット７０により記憶部を破壊した。これに対して、他の破壊部により記憶部を破壊することも可能である。
実施形態の後処理装置２００は、記憶部への書き込みに失敗したことを所定条件として、記憶部を破壊した。これに対して、他の所定条件を満たした場合に、記憶部を破壊することも可能である。
【００５６】
以上説明した少なくともひとつの実施形態によれば、所定条件を満たした場合に、取得部８１が取得した記憶部の位置情報に基づいて、サドル折りユニット７０を動作させる第２制御部８２を持つことにより、廃棄される異常シートの記憶部からの情報漏えいを防止できる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
Ｐ…シート、５…記憶部、７０…サドル折りユニット（破壊部）、７１…待機部、７３…シート位置調整機構、７６…折り部、８１…取得部、８２…第２制御部（制御部）、２００…後処理装置、２０１…筐体。
【図１】
2018144298.tif 000003
【図２】
2018144298.tif 000004
【図３】
2018144298.tif 000005
【図４】
2018144298.tif 000006
【図５】
2018144298.tif 000007
【図６】
2018144298.tif 000008